(57)【特許請求の範囲】
【請求項１】
商品収納ラック内蔵のキャビネット前面に配した外扉の背面に、該外扉の裏面側に装備した各種電装品を覆って透明プラスチックシートで作られたカーテン状の水濡れ防止シートを布設した自動販売機において、
前記水濡れ防止シートのシート面に自動販売機の操作マニュアルから抜粋したメンテナンス情報を直接印刷して表示するようにしたことを特徴とする自動販売機。
【請求項２】
請求項１記載の自動販売機において、水濡れ防止シートに印刷したメンテナンス情報の表示領域に対応して、シートの裏面に前記の印刷文字を見易くする不透明な背景マーキングを施したことを特徴とする自動販売機。
【請求項３】
請求項１または２記載の自動販売機において、水濡れ防止シートにリサイクル品の再生ＰＥＴ樹脂シートを採用したことを特徴とする自動販売機。
【発明の詳細な説明】
【０００１】
【発明の属する技術分野】
本発明は、自動販売機に関し、詳しくは自動販売機の各種設定，保守，点検などの事項に関するメンテナンス情報の表示手段に係わる。
【０００２】
【従来の技術】
まず、本発明の実施対象となる自動販売機を図２(a),(b) に示す。図において、１は断熱筐体としてなる自動販売機のキャビネット、２はキャビネット１の前面に配した外扉、３，４は上下二分割した断熱内扉の上部内扉および下部内扉、５はキャビネット１の庫内に冷却／加熱ユニットなどの付属機器とともに収容した商品収納ラック（サーペンタイン式商品収納ラック）、５ａはキャビネット１の上部前面に開口した商品収納ラックの商品投入口、６は商品搬出シュータである。
【０００３】
ここで、外扉２にはその前面側に商品見本を展示するディスプレイ室（図示せず）が画成され、扉の裏面側にはビルバリデータ（紙幣処理機）７，コイン機構（硬貨処理機）８，および制御ボックス１０などの各種電装品が装備されている。なお、２ａは外扉２の裏面に組付けたディスプレイ室の背面扉、２ｂは商品取出口、９はコイン回収ボックスである。また、外扉２の裏面側には、前記した各種電装品を覆って透明プラスチックシートで作られたカーテン状の水濡れ防止シート１１を布設し、その上端をハンガー（取付板）１２を介して背面扉２ａの扉面に固定支持するようにしている。この水濡れ防止シート１１は、屋外のロケーション先に設置した自動販売機の外扉２を開いてメンテナンス作業を行う際に、電装品に雨が降り掛かって濡れないように保護するために設けたものであり、通常の自動販売機ではこの水濡れ防止シートが標準装備されている。
【０００４】
また、自動販売機には、その運転操作，販売商品に関する各種の設定，操作方法などを記載して冊子化した取扱説明書（マニュアル）が用意されいるが、この取扱説明書とは別に、前記マニュアルから抜粋した基本的設定，操作およびトラブルシューティング用のエラーコードなどのメンテナンス情報を印刷したステッカー（銘板）１３を図示のように外扉３の裏面側の空きスペース，あるいは下部内扉４の前面に貼り付けおき、ロケーション先の自動販売機で商品の設定，保守，点検の作業を行うに際に、サービスマンが外扉２を開いた状態でステッカーに表示されているメンテナンス情報を閲覧することができるようにしている。
【０００５】
【発明が解決しようとする課題】
一方、昨今では資源の再利用化を図る上から、家電製品などの製品についてのリユース，リサイクル化が急速に進んでおり、自動販売機の業界においても、不要になって回収された自動販売機のリユース、リサイクル化に配慮した製品作りが進められている。
【０００６】
ところで、不要になった自動販売機を回収，解体してその扉部品をリユース（再利用）する、あるいはリサイクル可能な金属部品を分別して再生処理する場合に、金属部品に異質な部材が付着しているとリユース，リサイクルの再生処理に障害となる。このために、前記のように外扉２の背面扉（鋼板製）２ａ，あるいは内扉４の扉板面に紙葉のステッカー１３を接着剤で貼着しておくと、自動販売機を回収して解体，分別処理する際に鋼板製の扉面からステッカー１３をはぎ取る作業が必要となるが、ステッカー１３は年数が経過すると接着剤が剥がれ難くなるほか、その紙葉が変質して千切れ易くなるために、ステッカーの剥離作業が困難となる。
【０００７】
そこで、本発明の目的は、リユース，リサイクル処理の障害になるステッカー（接着剤貼り付け）を使わずに、機内に標準装備されている部品を利用してメンテナンス情報を簡単に閲覧できるようにその表示手段を改良した自動販売機を提供することを目的とする。
【０００８】
【課題を解決するための手段】
上記目的を達成するために、本発明によれば、商品収納ラックを搭載したキャビネットの前面に配した外扉の背面に、該外扉に装備した各種電装品を覆って透明プラスチックシートで作られたカーテン状の水濡れ防止シートを布設した自動販売機において、
前記水濡れ防止シートのシート面に自動販売機の操作マニュアルから抜粋したメンテナンス情報を直接印刷して表示するようにする（請求項１）。
【０００９】
上記によれば、従来製品のように自動販売機の扉面に接着剤で貼り付けたステッカーを使わずに、電装品の防水対策として外扉の裏面側に取り外し可能に標準装備した水濡れ防止シートを活用してそのシート面に直接印刷した表示内容からメンテナンスに必要な情報を閲覧することができる。また、ハンガーなどを介して扉面に取付けた水濡れ防止シートは簡単に取り外すことができ、これにより使用済みになった自動販売機をリユース，リサイクルする際の部品分別，処理作業が楽に行える。
【００１０】
また、本発明によれば、メンテナンス情報の内容を印刷した前記の水濡れ防止シートは、次記のような態様で実施することができる。
(1) 水濡れ防止シートに印刷したメンテナンス情報の文字を見やすくするために、その表示領域に対応して、シートの裏面に印刷文字を見易くする不透明な背景マーキングを施す（請求項２）。
【００１１】
(2) 資源の再利用化に配慮して、水濡れ防止シートに使用済みペットボトルなどをリサイクルして得た再生ＰＥＴ樹脂のシートを用いるものとする（請求項３）。
【００１２】
【発明の実施の形態】
以下、本発明の実施の形態を図１(a),(b) に示す実施例に基づいて説明する。なお、実施例の図中で図２に対応する部材には同じ符号を付してその説明は省略する。
すなわち、図示実施例においては、図２の従来製品で扉面に貼り付けていたメンテナンス情報表示用のステッカー１３を使わずに、外扉２に装備したビルバリデータ７，コイン機構８などの各種電装品を覆って背面扉２ａにハンガー１２を介して吊り下げたカーテン状の水濡れ防止シート（透明プラスチックシート）１１を活用してそのシート面に操作マニュアルから抜粋した基本的なメンテナンス情報１４を直接印刷する。また、水濡れ防止シート１１には、資源の再利用化に配慮して使用済みペットボトルなどをリサイクルした再生ＰＥＴ（ポリエチレンテレフタレート）樹脂シートを採用している。
【００１３】
なお、自動販売機の操作マニュアルから抜粋したメンテナンス情報の印刷データは、別途コンピユータのメモリに記録しておき、自動販売機の生産にリンクしてそのデータを出力して水濡れ防止シートに印刷するものとし、その印刷装置には例えばインクジエット・プロッタを用いる。
そして、この印刷済みの水濡れ防止シート１１を自動販売機の組立工程に投入し、外扉２の背面扉２ａにねじ止め式のハンガー１２を介してカーテン状に吊り下げ支持するものとする。
【００１４】
なお、透明シートである水濡れ防止シート１１のシート面にメンテナンス情報１４の文字だけを印刷すると、外扉２の扉面に布設した状態ではシート背後の扉面，電装品などが透けて見え、これが印刷文字と重なり合ってメンテナンス情報１４が判読し難くなる。そこで、図示実施例では、水濡れ防止シート１１に印刷したメンテナンス情報１４の印刷領域に対応して、シートの裏面側に文字と異なる色の不透明な背景マーキング１４ａを施して前方から印刷文字が見え易くするようにしている。この場合に、水濡れ防止シート１１を通して外扉２に装着したビルバリデータ７，コイン機構８などの電装品の位置が目視できるように、前記の背景マーキング１４ａはシート１１の全面には施さず、メンテナンス情報１４の表示範囲に限定して施すのがよい。
【００１５】
上記の構成により、ロケーション先で自動販売機の外扉２を開放することにより、水濡れ防止シート１１に表示されている印刷内容からメンテナンス作業に必要な情報を閲覧することができる。
また、不要となった使用済み自動販売機をリユース，リサイクルするために、解体して部品を材料別に分別処理する際には、外扉２に取付けたハンガー１２のねじを緩めるだけで水濡れ防止シート１１を簡単に取り外すことができ、従来製品のように接着剤で貼り付けたステッカー１３を無理やり剥がす面倒な作業が不要で分別が楽に行える。
【００１６】
【発明の効果】
以上述べたように、本発明によれば、商品収納ラック内蔵のキャビネット前面に配した外扉の背面に、該外扉の裏面側に装備した各種電装品を覆って透明プラスチックシートで作られたカーテン状の水濡れ防止シートを布設した自動販売機において、
前記水濡れ防止シートのシート面に自動販売機の操作マニュアルから抜粋したメンテナンス情報を直接印刷して表示するようにしたことにより、従来製品のように自動販売機の扉面に接着剤で貼り付けたステッカーを使わずに、電装品の防水対策として外扉の裏面側に取り外し可能に標準装備した水濡れ防止シートを活用してそのシート面に直接印刷した表示内容からメンテナンスに必要な情報を閲覧することができる。また、ハンガーなどを介して扉面に取付けた水濡れ防止シートは簡単に取り外すことができ、これにより使用済みになった自動販売機をリユース，リサイクルする際の部品分別，処理作業が楽に行える。
【００１７】
また、前記の水濡れ防止シートに印刷したメンテナンス情報の表示領域に対応してシートの裏面に不透明な背景マーキングを施した請求項２により、メンテナンス情報の印刷文字が見易くなる。
さらに、請求項３のように、水濡れ防止シートに回収ペットボトルのリサイクル品である再生ＰＥＴ樹脂シートを採用ことで、容器包装のリサイクル化にも寄与できる。
【図面の簡単な説明】
【図１】本発明の実施例による自動販売機の構成図であり、(a) は自動販売機全体の扉開放状態を表す外観斜視図、(b) はメンテナンス情報を印刷した(a) における水濡れ防止シートの正面図
【図２】従来における自動販売機の構成図であり、(a) は自動販売機全体の扉開放状態を表す外観斜視図、(b) はメンテナンス情報のステッカーを貼着した外扉の部分拡大断面図
【符号の説明】
１    キャビネット
２    外扉
２ａ  背面扉
７    ビルバリデータ
８    コイン機構
１１    水濡れ防止シート
１２    ハンガー
１４    メンテナンス情報
１４ａ  背景マーキング
【図１】
0003978327.tif 000002
【図２】
0003978327.tif 000003